(57)【要約】  【課題】  パソコンや携帯端末の操作によって、物体検出装置が備える監視情報の送信機能を停止、あるいは、再開する機能を提供すること。  【解決手段】  撮像手段により得られる画像信号に基づいて画像中の物体を検出する物体検出装置は、上記物体の監視情報を送信する送信手段と、上記送信手段の送信停止、及び、送信再開を指示する送信指示手段とを備え、上記送信指示手段は、外部からの送信停止、或いは、送信再開要求に基づいて、送信停止、及び、送信再開を指示するように構成される。【選択図】図４
2005065028.tif 000002
【特許請求の範囲】
【請求項１】
撮像手段により得られる画像信号に基づいて画像中の物体を検出する物体検出装置において、
上記物体の監視情報を送信する送信手段と、上記送信手段の送信停止、及び、送信再開を指示する送信指示手段と
を備えることを特徴とする物体検出装置。
【請求項２】
請求項１記載の物体検出装置において、
上記送信指示手段は、外部からの送信停止、或いは、送信再開要求に基づいて、送信停止、及び、送信再開を指示することを特徴とする物体検出装置。
【請求項３】
請求項２記載の物体検出装置において、
上記撮像手段は複数存在し、上記送信指示手段は、外部からの送信停止、或いは、送信再開要求に基づいて、上記複数の撮像手段のうち任意の撮像手段に対応する画像中の物体の監視情報の送信停止、及び、送信再開を指示することを特徴とする物体検出装置。
【請求項４】
請求項１記載の物体検出装置において、
更に、上記監視情報の送信を停止している間に検出された上記物体の監視情報を記録する記憶手段を備えることを特徴とする物体検出装置。
【請求項５】
請求項４記載の物体検出装置において、
上記送信手段は、外部からの監視情報取得要求に基づいて、上記記憶手段に記録された監視情報を送信することを特徴とする物体検出装置。
【請求項６】
請求項５記載の物体検出装置において、
上記撮像手段は複数存在し、上記送信手段は、外部からの監視情報取得要求に基づいて、上記複数の撮像手段のうち任意の撮像手段に対応する画像中の物体の監視情報を送信することを特徴とする物体検出装置。
【請求項７】
監視領域の異常を検出する検出手段と、前記検出手段の検出結果に基づいて監視情報を送信する送信手段と、上記送信手段の送信停止、及び、送信再開を指示する送信指示手段と
を備えることを特徴とする監視システム。
【請求項８】
請求項７記載の監視システムにおいて、
上記送信指示手段は、外部からの送信停止、或いは、送信再開要求に基づいて、送信停止、及び、送信再開を指示することを特徴とする監視システム。
【請求項９】
請求項７記載の監視システムにおいて、
更に、上記監視情報の送信を停止している間に検出された上記物体の監視情報を記録する記憶手段を備えることを特徴とする監視システム。
【請求項１０】
請求項９記載の監視システムにおいて、
上記送信手段は、外部からの監視情報取得要求に基づいて、上記記憶手段に記録された監視情報を送信することを特徴とする監視システム。
【発明の詳細な説明】
【技術分野】
【０００１】
本説明は、監視領域の異常を検出する装置に関し、特に監視情報の送信を効果的に制御する技術に関する。
【背景技術】
【０００２】
近年、監視カメラを用いた侵入者等の監視において、インターネットやＬＡＮ等のネットワーク技術を用いた映像蓄積及び映像配信技術が開発されてきている。さらに、映像をハードディスクやＤＶＤなどの記憶装置にディジタルデータとして蓄積する技術が開発されている。
【０００３】
また、画像認識技術を用いて前記監視カメラの映像の変化を抽出し、監視情報として、ネットワーク接続されたパソコン（Ｐｅｒｓｏｎａｌ  ｃｏｍｐｕｔｅｒ：ＰＣ）や携帯端末に送信する技術が開発されてきている（例えば、特許文献１参照。）。この技術は、監視カメラの映像を蓄積し、ネットワーク接続されたＰＣに前記映像を配信することができる映像蓄積配信装置を用いた監視システムのひとつの装置であり、前記映像蓄積配信装置から映像を取得し、画像認識技術を用いて映像の変化を抽出する物体検出機能と、映像の変化があった場合には、その旨を伝える監視情報を電子メールなどの方法でネットワーク接続されたＰＣや携帯端末に送信する通信機能とを備えた装置（以下、通報装置と称する。）である。
【０００４】
図１０は、従来の監視情報をネットワーク接続された携帯端末で受信し、携帯端末が備えるモニタに表示した場合の画面例を示す図である。６０１は主画面、６０２は異常発生時の画像である。主画面６０１は、監視カメラの映像に変化（以下、異常と称する。）が生じた時点の時刻とチャンネル番号を文字情報で利用者に伝える部分である。ここで、チャンネルは映像蓄積配信装置のチャンネルを示し、監視用に設置された監視カメラの番号または設置場所との対応関係を持つ。すなわち、チャンネル番号を知ることにより、異常が発生した場所（カメラ）を知ることができる。画像６０２は、異常が発生したときの前記監視カメラの映像であり、異常の状況を映像情報で利用者に伝えることができる。
【特許文献１】特願２００２−３４７２０２（第５―６頁、第１図）
【発明の開示】
【発明が解決しようとする課題】
【０００５】
従来の通報装置においては、通報装置内の画像認識処理によって映像の変化が検出された場合に、監視情報をネットワーク接続されたＰＣや携帯端末に送信する機能を有する。
【０００６】
しかし、前記機能は映像の変化を検出した場合には必ず監視情報が送信されるので、前記ＰＣや携帯端末では必ず前記監視情報を受信することになる。特に、携帯端末においては、受信した監視情報を自動的にモニタに表示する機能が備わっている場合が多く、前記監視情報を受信したときに、前記携帯端末での作業が中断されることなる。
【０００７】
本発明の目的は、ＰＣや携帯端末の操作によって、監視情報の送信機能を停止、あるいは、再開する通報装置を提供することにある。
【課題を解決するための手段】
【０００８】
本発明の物体検出装置は、撮像手段により得られる画像信号に基づいて画像中の物体を検出する物体検出装置において、上記物体の監視情報を送信する送信手段と、上記送信手段の送信停止、及び、送信再開を指示する送信指示手段とを備えるように構成される。
【０００９】
なお、本明細書では、「監視情報」という語を用いて説明を行うが、「警告情報」や「検出情報」といった語についても、同様な用語であり、本発明に包含される。また、監視情報とは、物体検出装置から他へ送信される情報の総称のことを言っており、「監視」という用語の意味に限定されるものではない。
【００１０】
また、本明細書では、監視情報を送信する機能を備える「物体検出装置」を「通報装置」という語を用いて説明を行うが、本発明はこれらの用語に限定されるものではない。
【００１１】
また、本発明の物体検出装置において、上記送信指示手段は、外部からの送信停止、或いは、送信再開要求に基づいて、送信停止、及び、送信再開を指示するように構成される。
【００１２】
更に、本発明の物体検出装置において、上記撮像手段は複数存在し、上記送信指示手段は、外部からの送信停止、或いは、送信再開要求に基づいて、上記複数の撮像手段のうち任意の撮像手段に対応する画像中の物体の監視情報の送信停止、及び、送信再開を指示するように構成される。
【００１３】
また、本発明の物体検出装置において、更に、上記監視情報の送信を停止している間に検出された上記物体の監視情報を記録する記憶手段を備えるように構成される。
【００１４】
更に、本発明の物体検出装置において、上記送信手段は、外部からの監視情報取得要求に基づいて、上記記憶手段に記録された監視情報を送信するように構成される。
【００１５】
更に、本発明の物体検出装置において、上記撮像手段は複数存在し、上記送信手段は、外部からの監視情報取得要求に基づいて、上記複数の撮像手段のうち任意の撮像手段に対応する画像中の物体の監視情報を送信するように構成される。
【００１６】
本発明の監視システムは、監視領域の異常を検出する検出手段と、前記検出手段の検出結果に基づいて監視情報を送信する送信手段と、上記送信手段の送信停止、及び、送信再開を指示する送信指示手段とを備えるように構成される。
【００１７】
また、本発明の監視システムにおいて、上記送信指示手段は、外部からの送信停止、或いは、送信再開要求に基づいて、送信停止、及び、送信再開を指示するように構成される。
【００１８】
また、本発明の監視システムにおいて、更に、上記監視情報の送信を停止している間に検出された上記物体の監視情報を記録する記憶手段を備えるように構成される。
【００１９】
更に、本発明の監視システムにおいて、上記送信手段は、外部からの監視情報取得要求に基づいて、上記記憶手段に記録された監視情報を送信するように構成される。
【発明の効果】
【００２０】
本発明では、ネットワーク接続されたＰＣや携帯端末を操作することによって、通報装置からの監視情報の送信を停止したり、再開したりすることが可能である。
【発明を実施するための最良の形態】
【００２１】
以下、本発明の実施例について図面を参照して説明する。
【００２２】
図１を用いて本発明を適用するネットワーク型監視システムの全体構成の一実施例を示す。１００１−１、１００１−２、・・・、１００１−ｎ（ｎ＝１、２、・・・）は複数の監視カメラを表わす。なお、監視カメラを総称する場合は、１００１で代表するものとする。また、図１のその他の装置についても同様とする。
【００２３】
１００２はＬＡＮ（Ｌｏｃａｌ  Ａｒｅａ  Ｎｅｔｗｏｒｋ）のような映像信号等の伝送路、１００３−１、１００３−２、・・・、１００３−ｎ（ｎ＝１、２、・・・）は、Ｗｅｂエンコーダである。１００４は映像蓄積配信装置で、複数の監視カメラからの映像を蓄積し、必要なユーザーに配信する機能を有する。
【００２４】
１００５−１、１００５−２、・・・、１００５−ｍ（ｍ＝１、２、・・・）はブラウザＰＣで、監視システム全体を管理する機能を有する。１００６はハブ、１００７は通報装置、１００８はモデム、１００９は公衆回線による伝送路、１０１０はインターネットなどのＷＡＮ（Ｗｉｄｅ  Ａｒｅａ  Ｎｅｔｗｏｒｋ）ネットワーク、１０１１は携帯電話会社の交換システム、１０１２−１、１０１２−２、・・・、１０１２−ｌ（ｌ＝１、２、・・・）は携帯端末、１０１３−１、１０１３−２、・・・、１０１３−ｐ（ｐ＝１、２、・・・）はクライアントＰＣである。
【００２５】
監視カメラ１００１、Ｗｅｂエンコーダ１００３、映像蓄積配信装置１００４、ハブ１００６、通報装置１００７、モデム１００８及びクライアントＰＣ１０１３は例えば、ＬＡＮ等の伝送路１００２で相互に接続されている。携帯電話会社の交換システム１０１１は伝送路１００９とネットワーク１０１０を介してモデム１００８に接続されている。また、携帯電話会社の交換システム１０１１は携帯端末１０１２と無線等で接続されている。
【００２６】
監視カメラ１００１で撮影された映像はＷＥＢエンコーダ１００３を介して映像蓄積配信装置１００４に常時蓄積されている。ブラウザＰＣ１００５や通報装置１００７が、映像蓄積配信装置１００４に対して映像を要求すると、該映像が前記ブラウザＰＣ１００５や通報装置１００７に送信される。
【００２７】
通報装置１００７は、映像蓄積配信装置１００４が受信した監視カメラ１００１の映像を順次取得し、画像認識技術を用いて映像の変化（映像中の対象物の検出を含む。）、即ち異常を検出する。なお、画像認識技術により異常を検出する技術は、例えば、前後のフレーム画面の輝度成分の変化分を検出したり、或いは、映像信号のスペクトラムを比較する方法等従来から周知の方法であるので、詳細な説明は省略する。
【００２８】
もし、映像の変化が検出された場合には、変化が検出された時の映像と、時刻などの情報を監視情報として、ブラウザＰＣ１００５、クライアントＰＣ１０１３、携帯端末１０１２の少なくともいずれか１つに送信する。ここで、監視情報とは、通報装置１００７から携帯端末１０１２やクライアントＰＣ１０１３に送信される情報の総称のことをいい、その形式は種々なものが用いられる。
【００２９】
なお、監視カメラ、Ｗｅｂエンコーダ等は１台であってもよいし、Ｗｅｂエンコーダ１台に複数台の監視カメラが接続されていてもよい。また、監視カメラ、Ｗｅｂエンコーダ、映像蓄積配信装置、通報装置等の機能が一体化された装置を用いることも可能である。
【００３０】
また、本発明の通報装置では、画像認識技術を用いて映像の変化即ち、監視カメラの撮像範囲の異常を検出した場合に、監視情報を送信する構成としているが、他の例として、監視領域に赤外線センサ、超音波センサ、煙センサ、ガス漏れセンサ、等の監視領域の異常を検出する外部センサを設置し、当該センサによる異常検出に基づき、通報装置が監視情報を送信するような構成としてもよい。一構成例として、監視カメラの撮像範囲に外部センサを設置し、外部センサの異常検出に応じて、対応する監視カメラの映像を含む監視情報を送信するような態様を用いることが可能である。
【００３１】
本発明の特徴の１つは、通報装置に監視情報の送信の停止、再開機能を装備し、更に監視情報の送信の停止時に検出された監視情報を装置内で管理することにある。これにより、監視情報の送信停止及び再開を行えることは勿論のこと、監視情報の送信停止中に検出された情報も後から確認することができる。詳細は後述する。
【００３２】
図２は、通報装置の構成の一実施例を示す。図2に示す通報装置１００７において、ＣＰＵ２０、プログラムメモリ２１、ワークメモリ２２、ネットワークインタフェイス２３、画像メモリ２４、テーブル記憶部２５は、データバス２６にそれぞれ接続されている。
【００３３】
ここで、画像メモリ２４には、映像蓄積配信装置１００４から取得した映像が記録される。ＣＰＵ２０は、プログラムメモリ２１に保存されているプログラムに従って、ワークメモリ２２を処理作業領域として使用し、画像メモリ２４に蓄積された画像の解析を行う。ネットワークインタフェイス２３は、伝送路１００２や公衆回線１００９と必要に応じて接続される。テーブル記憶部２５には、監視情報の送信を管理するための送信テーブル２５−１と、監視情報の送信停止中において発生した監視情報を蓄積するための蓄積テーブル２５−２が記憶されている。
【００３４】
ここで、送信テーブル２５−１について、図３を用いて説明する。図３は、本発明における送信テーブル２５−１の一実施例を示す図である。送信テーブル２５−１は、チャンネル番号毎に、監視情報の送信「１」、送信停止「０」のいずれかの状態を管理するための送信状態情報と、通報先のメールアドレス等、監視情報を送信する場所を特定するための通報先情報を記憶している。
【００３５】
送信状態情報は、初期値として、すべてのチャンネル番号において、送信「１」が設定されているが、利用者からの送信停止要求があると、送信「１」から送信停止「０」に変更される。また、利用者から送信再開要求があると、送信停止「０」から送信「１」に変更される。
【００３６】
なお、図３の例では、通報先情報として、すべてのチャンネルにおいて同一のメールアドレスが設定されているが、各チャンネル毎に異なるメールアドレスを設定することも可能であるし、各チャンネルに複数の通報先のメールアドレスを設定することも可能である。
【００３７】
図１に示す監視システムの動作の一実施例を図４を用いて説明する。図４は、通報装置１００７が例えば、映像の変化等によって映像蓄積配信装置１００４に蓄積されている映像についての異常検出を行い、携帯端末１０１２やクライアントＰＣ１０１３に対して監視情報を送信する動作について説明するためのフローチャートである。
【００３８】
ステップ４０１は、監視開始、即ち、監視システムの監視のスタートである。所定の監視カメラ１００１からの監視映像がＷｅｂエンコーダ１００３でデジタル圧縮処理された画像圧縮データは、ハブ１００６を介して映像蓄積配信装置１００４に蓄積される。
【００３９】
ここで、映像蓄積配信装置１００４に記憶される画像圧縮データ（映像）は、例えば、撮影日時、監視カメラ１００１のチャンネル番号、圧縮形式等の情報がデジタル圧縮画像と共に記憶される。また、いずれの監視カメラの映像を取り込むかは、プラウザＰＣ１００５の管理により前もってスケジュールするか、或いは、異常の検出情報に基づき選択される等種々の方法が考えられる。
【００４０】
ステップ４０２は、通報装置１００７が映像蓄積配信装置１００４から１フレーム分の映像を取得するステップであり、例えば、監視カメラ１００１から映像蓄積配信装置１００４に入力される全ての画像が入力順に読み出され、読み出された画像が通報装置１００７のネットワークインタフェース２３を介して画像メモリ２４へ供給される。
【００４１】
ステップ４０３は、通報装置１００７が画像認識処理によって、画像メモリ２４に記録されている前の映像と現在入力されている映像とを、例えば、輝度値を比較し、映像の変化を検出するステップである。
【００４２】
ステップ４０４は、通報装置１００７がステップ４０３の画像認識処理によって映像に変化があるか、ないかを判断するステップである。なお、映像に変化があるかないかは、例えば輝度値の変化を検出するが、この場合、異常検出に所定の閾値を設定し、所定値以下の変化は、異常と判断しない等、誤報を極力少なくする方法も必要により設定できる。
【００４３】
検出の結果、映像に変化があったと判断された場合は、ステップ４０５に進み、なかった場合には、ステップ４０２に戻り、次の入力映像について同様の処理を実行する。
【００４４】
ステップ４０５は、通報装置１００７が監視情報を生成するステップである。ここで、監視情報の内容は、例えば、映像の変化を検出した時刻、年月日、監視カメラの番号、検出された対象物の特徴等を示す情報である。さらに、監視情報には、映像の変化時の監視カメラの映像の静止画像や動画像等を必要に応じて含ませることもできる。また、クライアントＰＣ１０１３の受信可能なデータサイズや通信回線の容量等に応じて画像の大きさ、即ち、画像の画素数や圧縮率を適宜変更し、利用者が受信できる形態にすることもできる。
【００４５】
ステップ４０６は、通報装置１００７が監視情報の送信状態を判断するステップである。具体的には、テーブル記憶部２５に記憶されている送信テーブル２５−１を参照し、変化があった映像に対応するチャンネル番号の送信状態を判断する。送信状態が送信「１」である場合にはステップ４０７へ進み、送信停止「０」である場合にはステップ４０８へ進む。
【００４６】
ステップ４０７は、通報装置１００７が携帯端末１０１２やクライアントＰＣ１０１３に監視情報を送信するステップである。送信は、テーブル記憶部２５に記憶されている送信テーブル２５−１の通報先情報に基づいて行われる。なお、送信する方法は、一般には電子メールであるが、監視情報を携帯端末１０１２やクライアントＰＣ１０１３が受信できる送信方法であれば、電子メールの他の方法でもよい。
【００４７】
ステップ４０８は、監視情報の送信を行わない場合において、監視情報をテーブル記憶部２５が備える蓄積テーブル２５−２に記憶するステップである。ステップ４０９は、監視終了のステップである。
【００４８】
図５は、監視情報の送信が停止されている間に検出された異常の情報を蓄えた通報装置の蓄積テーブル２５−２の内容の一例を示した図である。図５に示す蓄積テーブル２５−２は、異常が発生した時刻、異常が発生したチャンネル、異常発生時の状況を示す画像または前記画像のファイル名を格納する。蓄積テーブル２５−２に記憶された監視情報は、通報装置１００７が利用者から蓄積された監視情報の取り出し要求を受信し、当該利用者に監視情報の送信をしたときに消去される。
【００４９】
次に、携帯端末１０１２やクライアントＰＣ１０１３等から通報装置に対して、監視情報の送信を停止する場合について、図６及び図７を用いて説明する。なお、以下では、携帯端末１０１２を用いる場合を例に説明する。
【００５０】
図６は、本発明における監視情報を携帯端末１０１２で受信し、携帯端末１０１２が備えるモニタに表示した場合の画面例を示す図である。図６は、図１０と同様であるが、新たに６０３が追加されている。なお、図１０と同じものには同じ符号が付されている。
【００５１】
６０３は、監視情報送信停止要求部である。監視情報送信停止要求部６０３は、通報装置１００７に監視情報の送信を停止する要求をするための部分である。図６に示した例では、停止要求の送信先である通報装置のメールアドレスやURLがハイパーリンク形式で記述されており、利用者による携帯端末１０１２のボタンの押下により監視情報送信停止要求部６０３が選択されると、主画面６０１に表示されている異常時の画像６０２に対応するチャンネル番号と共に送信停止要求が通報装置１００７に送信される。なお、図６では監視情報送信停止要求部６０３はハイパーリンクとして示してあるが、ボタンなど、通報装置１００７に停止要求を送信する機能を持つものであれば、種類や形状などは何でもよい。
【００５２】
図７は、利用者が携帯端末１０１２からの操作によって、通報装置に対して監視情報の送信停止要求を送信し、通報装置１００７の監視情報の送信を停止する処理の流れの一実施例を示したフローチャートである。
【００５３】
ステップ７０１は、利用者により監視情報送信停止要求部６０３が選択され、携帯端末１０１２が監視情報送信停止要求部６０３の選択を検出するステップである。
【００５４】
ステップ７０２は、携帯端末１０１２が通報装置１００７との接続を確立するステップである。
【００５５】
ステップ７０３は、ステップ７０２による接続が確立された後、携帯端末１００７が監視情報の送信停止要求を通報装置１００７に送信するステップである。
【００５６】
ステップ７０４は、監視情報送信停止要求を通報装置１００７が受信するステップである。
【００５７】
ステップ７０５は、通報装置１００７が監視情報の送信を停止するステップである。具体的には、通報装置１００７は、テーブル記憶部２５が備える送信テーブル２５−１において、送信停止要求がなされたチャンネル番号の送信状態を送信停止「０」に変更する。
【００５８】
ステップ７０６は、ステップ７０５によって監視情報の送信が停止されたかどうかの処理結果を通報装置１００７が携帯端末１０１２に送信するステップである。
【００５９】
ステップ７０７は、携帯端末１０１２が処理結果を受信し、携帯端末１０１２が備えるモニタに表示するステップである。これにより、ステップ７０５の処理が正常に終了している場合には「監視情報の送信を停止した」旨のメッセージが表示される。一方、ステップ７０５の処理が正常に終了しなかった場合にはモニタには「処理に失敗した」旨のメッセージが表示され、携帯端末１０１２は再度、監視情報送信停止要求を送信する等、停止処理が正常に終了しなかった原因を取り除く処理を利用者に促す。
【００６０】
以上の処理により、携帯端末１０１２からの操作によって、通報装置１００８の監視情報の送信を停止することができる。
【００６１】
ここで、ステップ７０５において停止するのは、通報装置１００７が備える監視情報の送信処理のみであって、画像認識を用いた監視処理、即ち異常の検出は続行される。これは、監視情報の送信を停止している間に重大な異常が検出される可能性があり、かつ、携帯端末やＰＣから上述の操作を行う場面においては監視員が離席している可能性が高いと予想されるからである。
【００６２】
したがって、通報装置１００７は、監視情報の送信を停止している間においても監視を続行し、異常が検出された場合にはその監視情報をテーブル記憶部２５が備える蓄積テーブル２５−２に蓄積し、利用者が後から監視情報送信停止中に発生した異常の情報を取り出せるようにすることができる。
【００６３】
次に、図８及び図９を用いて、監視情報送信停止中に発生した異常の情報の取り出し機能について説明する。
【００６４】
図８は、携帯端末１０１２を用いて、監視情報の送信が停止している間に蓄積された監視情報を取り出す処理の一例を示したフローチャートである。
【００６５】
ステップ８０１は、携帯端末１０１２において、Ｗｅｂブラウザを起動するステップである。ここで説明する例では、Ｗｅｂブラウザを用いることによって通報装置１００７と通信することとして説明するが、携帯端末１０１２と通報装置１００７が通信を行える手段であれば、形態や手段を問わない。
【００６６】
ステップ８０２は、通報装置１００７に蓄えられた監視情報を取り出すためのＷｅｂページである、監視情報取得画面を通報装置１００７に要求するステップである。
【００６７】
ステップ８０３は、前記監視情報取得画面要求を通報装置１００７が受信するステップである。
【００６８】
ステップ８０４は、通報装置１００７が、予め作成され通報装置１００７内に記憶してある監視情報取得画面を携帯端末１０１２に送信するステップである。この際、通報装置１００７は、蓄積テーブル２５−２に監視情報が存在するチャンネル番号等の情報を画面に付加して送信する。
【００６９】
ステップ８０５は、監視情報取得画面を携帯端末１０１２が受信し、モニタに表示するステップである。図９に監視情報取得画面の一例を説明する図を示す。なお、図９の詳細は後述する。
【００７０】
ステップ８０６は、利用者が監視情報取得画面において、監視情報を取得するチャンネルの番号を選択するステップである。ここで選択されるチャンネルは、監視情報の送信が停止されていた期間に異常が検出されたチャンネルの番号である。すなわち、ステップ８０４において通報装置１００７の蓄積テーブル２５−２に蓄積された監視情報が存在するチャンネルの番号である。
【００７１】
ステップ８０７は、携帯端末１０１２がステップ８０６において選択されたチャンネルの監視情報を取得する要求を通報装置１００７に送信するステップである。
【００７２】
ステップ８０８は、監視情報取得要求を通報装置１００７が受信するステップである。
【００７３】
ステップ８０９は、蓄積テーブル２５−２に蓄積された監視情報を基にして、通報装置１００７が携帯端末１０１２に送信するための監視情報を生成するステップである。
【００７４】
ステップ８１０は、通報装置１００７がステップ８０９で生成した監視情報を携帯端末１０１２に送信するステップである。ここで、通報装置１００７の処理は、携帯端末１０１２に対してはステップ８１１に、通報装置内部の処理に対しては、ステップ８１２に進む。
【００７５】
ステップ８１１は、携帯端末１０１２が監視情報を受信し、受信した監視情報を携帯端末のモニタに表示させるステップである。
【００７６】
ステップ８１２は、通報装置１００７がステップ８１０において送信した監視情報を蓄積テーブル２５−２から消去するステップである。ここでは、利用者に送信した監視情報は、通報装置内の記憶部から消去するとしているが、すべての利用者に対して監視情報を送信した場合でも、監視情報を消去せず、通報装置１００７内に保持しておいてもよい。
【００７７】
ステップ８１３は、通報装置が蓄積テーブル２５−２内にステップ８０６で選択されたチャンネルについての監視情報があるかどうかを判定するステップである。監視情報が存在する場合（未送信の監視情報がある場合）には、ステップ８０９に進み、すべての監視情報を送信した場合には処理を終了する。
【００７８】
以上の処理によって、監視情報の送信を停止している期間中に検出された異常の情報を携帯端末１０１２を用いて取り出し、異常の内容を確認することが可能である。これにより、異常の発生を逃すことなく、確認することが可能である。
【００７９】
ここで、図９を用いて、監視情報取得画面の一実施例を説明する。図９は、監視情報取得画面を携帯端末１０１２のモニタに表示した場合の一実施例を示す図である。
【００８０】
図９において、９０１は主画面であり、９０２はチャンネル選択用設定ボタンであり、９０３は終了ボタンであり、９０４は送信ボタンである。また、主画面９０１には、利用者が行うべき行動を指示するメッセージが表示される。チャンネル選択用設定ボタン９０２には、監視情報の送信が停止されていた期間に異常が検出されたチャンネルの番号がリスト表示される。利用者は、リスト表示されたチャンネル番号の中から、監視情報を取り出したいチャンネルの番号を選択し、送信ボタン９０４を押す（図８のステップ８０６）。終了ボタン９０３が押されたときには、図８のステップ８０７以降の処理を実行せずに終了する。
【００８１】
次に、図１１〜図１２を用いて、停止していた監視情報の送信を携帯端末１０１２からの操作によって再開する方法について説明する。
【００８２】
図１１は、携帯端末１０１２を用いて監視情報の送信を再開する処理の流れの一例を示したフローチャートである。
【００８３】
ステップ１１０１は、携帯端末のＷｅｂブラウザが起動されるステップである。
【００８４】
ステップ１１０２は、携帯端末１０１２が監視情報の送信再開画面を通報装置１００７に対して要求するステップである。
【００８５】
ステップ１１０３は、送信再開画面要求を通報装置１００７が受信するステップである。
【００８６】
ステップ１１０４は、通報装置１００７が送信再開画面を携帯端末１０１２に送信するステップである。送信再開画面は予め通報装置１００７内の記憶装置に記録されている。この際、通報装置１００７は、送信テーブル２５−１において現在、送信状態が送信停止「０」となっているチャンネル番号等の情報を送信再開画面に付加して送信する。
【００８７】
ステップ１１０５は、携帯端末１０１２が送信再開画面を受信し、モニタに表示するステップである。ここで、前記送信再開画面を携帯端末１０１２のモニタに表示した場合の画面例を図１２に示し示す。なお、図１２の詳細は後述する。
【００８８】
ステップ１１０６は、送信再開画面において、利用者が送信を再開するチャンネルを選択するステップである。選択できるチャンネルの番号は、ステップ１１０４において、監視情報の送信が停止されている状態のチャンネル番号である。
【００８９】
ステップ１１０７は、携帯端末１０１２がステップ１１０５において選択されたチャンネルに対する監視情報の送信再開要求を通報装置１００７に送信するステップである。
【００９０】
ステップ１１０８は、送信再開要求を通報装置１００７が受信するステップである。
【００９１】
ステップ１１０９は、通報装置１００７送信再開要求において監視情報の送信の再開が要求されたチャンネルに対する監視情報の送信を再開するステップである。具体的には、通報装置１００７は、テーブル記憶部２５が備える送信テーブル２５−１において、送信停止要求がなされたチャンネル番号の送信状態を送信「１」に変更する。
【００９２】
ステップ１１１０は、通報装置１００７がステップ１１０９の処理結果を携帯端末１０１２に送信するステップである。
【００９３】
ステップ１１１１は、処理結果を携帯端末１０１２受信し、モニタに表示するステップである。ステップ１１０９の処理が正常に終了している場合には「監視情報の送信を再開した」旨のメッセージを表示する。ステップ１１０９の処理が正常に終了しなかった場合には、「処理に失敗した」旨のメッセージを表示し、再度、監視情報送信再開要求を送信したり、処理が正常に終了しなかった原因を取り除いたりすることを利用者に促す。
【００９４】
図１２は、携帯端末１０１２に表示された送信再開画面の例を示す図である。１２０１は主画面、１２０２はチャンネル選択用設定ボタン、１２０３は終了ボタン、１２０４は送信ボタンである。また、主画面１２０１には利用者が行うべき行動を指示するメッセージが表示される。チャンネル選択用設定ボタン１２０２には、監視情報の送信が停止されているチャンネルの番号がリスト表示される。利用者は、リスト表示されたチャンネル番号の中から、監視情報の送信を再開したいチャンネルの番号を選択し、送信ボタン１２０４を押す（図１１のステップ１１０６）。終了ボタン１１０３が押されたときには、図１１に示すステップ１１０７以降の処理を実行せずに終了する。
【００９５】
以上、説明した方法により、携帯端末１０１２を操作することによって監視情報の送信を再開することが可能である。
【００９６】
なお、上述した監視情報の送信停止、再開手法の他、利用者が携帯端末から送信停止期間を指定するような手法を用いてもよい。例えば、通報装置に送信停止、再開のスケジュールを日付け、曜日、時間帯毎に定めたスケジュールテーブルを記憶させ、利用者が所望のスケジュールを設定できるようにしてもよい。
【００９７】
また、上述した実施例では、各監視カメラに対応したチャンネル毎に監視情報の送信停止、取得、送信再開等の処理を行っているが、すべてのチャンネルに対して一律にこれらの処理を行うようにしても良い。
【００９８】
ここで、本発明に係る通報装置などの構成としては、必ずしも以上に示したものに限られず、種々な構成が用いられてもよい。なお、本発明は、例えば本発明に係る処理を実行する方法或いは方式や、このような方法や方式を実現するためのプログラムなどとして提供することも可能であり、また、例えば、通報装置や物体検出装置などの種々な装置やシステムとして提供することも可能である。
【００９９】
また、本発明の適用分野としては、必ずしも以上に示したものに限られず、本発明は、種々な分野に適用することが可能なものである。
【図面の簡単な説明】
【０１００】
【図１】本発明を適用するネットワーク型監視システムの全体構成の一実施例を示す図である。
【図２】本発明の通報装置の構成の一実施例を示す図である。
【図３】本発明の送信テーブルの一実施例を示す図である。
【図４】本発明の通報装置の動作の一実施例を説明するためのフローチャートである。
【図５】本発明の蓄積テーブルの一実施例を示す図である。
【図６】本発明のモニタ表示画面の一実施例を示す図である。
【図７】本発明の監視情報の送信停止処理の一実施例を説明するためのフローチャートである。
【図８】本発明の監視情報を取り出す処理の一実施例を説明するためのフローチャートである。
【図９】本発明のモニタ表示画面の一実施例を示す図である。
【図１０】従来のモニタ表示画面の一実施例を示す図である。
【図１１】本発明の監視情報の送信再開処理の一実施例を説明するためのフローチャートである。
【図１２】本発明のモニタ表示画面の一実施例を示す図である。
【符号の説明】
【０１０１】
１００１：監視カメラ、１００２：伝送路、１００３：Ｗｅｂエンコーダ、１００４：映像蓄積配信装置、１００５：ブラウザＰＣ、１００６：ハブ、１００７：通報装置、１００８：モデム、１００９：伝送路、１０１０：ネットワーク、１０１１：携帯電話会社の交換システム、１０１２：携帯端末、１０１３：クライアントＰＣ、２０：ＣＰＵ、２１：プログラムメモリ、２２：ワークメモリ、２３：ネットワークインタフェイス、２４：画像メモリ、２５：テーブル記憶部、２５−１：送信テーブル、２５−２：蓄積テーブル、２６：データバス、６０１：、６０２：、６０３：監視情報送信停止要求部、９０１：監視情報取得画面の主画面、９０２：チャンネル選択用設定ボタン、９０３：終了ボタン、９０４：送信ボタン、１２０１：送信再開画面の主画面、１２０２：チャンネル選択用設定ボタン、１２０３：終了ボタン、１２０４：送信ボタン。
【図１】
2005065028.tif 000003
【図２】
2005065028.tif 000004
【図３】
2005065028.tif 000005
【図４】
2005065028.tif 000006
【図５】
2005065028.tif 000007
【図６】
2005065028.tif 000008
【図７】
2005065028.tif 000009
【図８】
2005065028.tif 000010
【図９】
2005065028.tif 000011
【図１０】
2005065028.tif 000012
【図１１】
2005065028.tif 000013
【図１２】
2005065028.tif 000014